(57)【要約】【課題】  対向する主柱間に配設された複数の間柱を挟持した状態で二重落し込み板を配し、二重落し込み板の長手端面側を主柱に当接させた状態で使用するとともに、相隣接する落し込み板間にダボを配設して接続しているため、耐力壁としての壁倍率が格段に高くなるため耐震性がよく、施工が容易で大幅な工期短縮が可能な二重落し込み板パネル構法による木造耐力壁とその固定方法を提供することにある。【解決手段】  離間して対向立設された第１柱と第２柱を構成する主柱と、該主柱間に立設された複数の間柱と、該主柱間に該間柱を挟持するように該間柱の前後に相隣接するように横架配設された複数の二重落し込み板とで構成される。  【選択図】      図９
2006028805.tif 000002
【特許請求の範囲】
【請求項１】
離間して対向立設された第１柱と第２柱を構成する主柱と、該主柱間に立設された複数の間柱と、該主柱間に該間柱を挟持するように該間柱の前後に相隣接するように横架配設された複数の二重落し込み板とで構成されることを特徴とした二重落し込み板パネル構法による木造耐力壁。
【請求項２】
該主柱と該間柱の上部域に横架配設された土台と該主柱と該間柱の下部域に横架配設された梁にそれぞれ隣接する二重落し込み板とをダボで接続するようにしたことを特徴とする請求項１記載の二重落し込み板パネル構法による木造耐力壁。
【請求項３】
少なくとも該土台に該間柱の長柄差し込み栓を差し込むための間柱用柄穴と、該第１柱と第２柱の長柄差し込み栓を差し込むための該第１柱と第２柱の柄穴を設け、該間柱と該第１柱と第２柱の長柄差し込み栓をそれぞれの柄穴に差し込んで固定するための込栓を設けたことを特徴とする請求項１もしくは請求項２記載の二重落し込み板パネル構法による木造耐力壁。
【請求項４】
両端部に長柄差し込み栓を有する複数本の間柱を配設するとともに、該間柱の上下端部に該間柱間を橋渡しする断熱材の受材を固定して構成した二重落し込み板パネルの骨組と、該二重落し込み板パネルの骨組の両側面に相隣接する落し込み板をダボを介して接合した壁体を構成する際に断熱材を該両落し込み板で囲繞し組み込んで構成した該二重落し込み板パネルと、該二重落し込み板パネルを組み込むための該第１柱と第２柱を構成する一対の主柱で構成するようにしたことを特徴とする請求項１記載の二重落し込み板パネル構法による木造耐力壁。
【請求項５】
幅の狭い該落し込み板を上下方向に相隣接する二重落し込み板を該ダボで接続する際に、該ダボを千鳥型となるように配列したことを特徴とする請求項２もしくは４記載の二重落し込み板パネル構法による木造耐力壁。
【請求項６】
幅の広い該落し込み板を上下方向に相隣接させて相互に該ダボで接続する際に、該ダボの取付け位置が一定の軸線上に配列するようにしたことを特徴とする請求項２もしくは４記載の二重落し込み板パネル構法による木造耐力壁。
【請求項７】
上下一対の横架材と、該両横架材間に配設された左右一対の垂直柱材とで構成される口型形状のリフォーム構造体であって、少なくとも該垂直柱材の内周面に配設された複数本の間柱と、該横架材の内周面に当接する位置に該間柱間を橋渡しする断熱材の受材を固定して構成された二重落し込み板パネルの骨組と、該二重落し込み板パネルの骨組に組み込んだ断熱材と、該二重落し込み板パネルの骨組の両側面に相隣接する落し込み板をダボを介して接合した壁体を構成する際に断熱材を該両落し込み板で囲繞し組み込んで構成するようにしたことを特徴とする二重落し込み板パネル構法による木造耐力壁。
【請求項８】
外壁板を該二重落し込み板パネルの骨組の表面部側を覆うように取り付ける際に胴縁を介して取り付けるか、または直接取り付けるかいずれか一つから選ばれるようにしたことを特徴とする請求項１、４ならびに請求項７記載の二重落し込み板パネル構法による木造耐力壁。
【請求項９】
該外壁板としてラスボード下地モルタル塗り、サイディングボード、板杉よりなる群から選ばれる該外壁板のいずれかにより形成されていることを特徴とする１、４ならびに請求項７記載の二重落し込み板パネル構法による木造耐力壁。
【請求項１０】
内壁材を該二重落し込み板パネルの表面部側を覆うように胴縁を介して取り付けるか、または直接取り付けるかいずれか一つから選ばれるようにしたことを特徴とする請求項３もしくは請求項請求項１、４ならびに請求項７記載の二重落し込み板パネル構法による木造耐力壁。
【請求項１１】
該内壁板として石膏ボード下地塗装仕上げか、石膏ボード下地クロス貼りよりなる群から選ばれる該内壁板のいずれかにより形成されていることを特徴とする請求項１、４ならびに請求項７記載の二重落し込み板パネル構法による木造耐力壁。
【請求項１２】
該二重落し込み板パネルを吊り下げた状態で降下させながら、土台に刻設された間柱用柄穴に間柱の長柄差し込み栓を差し込んだ後、予め該土台に刻設された該第１柱と第２柱の柄穴上に柱受け板を載置しておき、該間柱の左右両端部側から該第１柱と第２柱の長手方向に刻設された凹部状の溝に沿わせながら降下させ、一旦該第１柱と第２柱を該柱受け板上に載置させた後、該第１柱と第２柱のいずれか一方の該柱の上方部のみを該間柱から離間する方向に傾転させた状態で梁を保持させ、ついで該傾転した柱を起立させて該第１柱と第２柱間に梁を張架するようにしたことを特徴する二重落し込み板パネル構法による木造耐力壁の固定方法。
【請求項１３】
該第１柱と第２柱間に該二重落し込み板パネルを取り付ける際に、該間柱を該第１柱と第２柱に当接して取り付けたことを特徴とする請求項１〜４、７、１２記載の二重落し込み板パネル構法による木造耐力壁の固定方法。
【発明の詳細な説明】
【技術分野】
【０００１】
本発明は、木造建築物に用いる壁体構造に関し、特に、施工性と家屋の水平外力に対する耐力壁に優れた二重落し込み板パネル構法による木造耐力壁とその固定方法に関するものである。
【背景技術】
【０００２】
一般に、２本の柱材を、平行な２本の梁材の間に所定の間隔をおいて立設し、この柱材の対向する面板取付面に、それぞれ１または平行な２以上の該面板嵌め込み用縦スリット溝を長手方向に沿って設けるとともに、前記梁材の対向する面板取付面に、それぞれ１または平行な２以上の該面板嵌め込み用横スリット溝を長手方向に沿って設け、これらの縦スリット溝および横スリット溝内に、該面板の両側縁部ならびに上縁部、下縁部を嵌め入れて、壁体としたものがある（例えば、特許文献１）。
【０００３】
また、縦方向に配列した複数の桟木に対し、多数の木板を横方向に配列して成るパネルを基本として、その木板に所定の位置に所定の深さの桟木嵌入の溝を突いて接合させるようにしたものがある（例えば、特許文献２）。
【０００４】
さらに、一般的な木造家屋では、一本の筋かいまたはたすき掛け筋かいを用いて剪断抵抗を高めた剛性の高い耐力壁が採用されているが、前記一本の筋かいの場合を例にとると、一方は土台と柱間と筋かいの三者を金具とボルトで止められている。また、他方の筋かいの梁と土台と間柱の三者は金具とボルトで止められている。
【０００５】
【特許文献１】特開平８−２４６５８０号公報
【特許文献２】特開２００３−５３７０９号公報
【発明の開示】
【発明が解決しようとする課題】
【０００６】
ところが、特許文献１にあっては、木板を室内側の仕上げ材としても活用できるパネルとなっているが、軸組とパネルの接合にはビスを用いるしかなく、間柱胴縁、下地材の取付けや断熱材の充填等の行程を考えると、さほど工期の短縮化が図れないといった問題があった。
【０００７】
また、特許文献２にあっては、柱材および横架材にスリット溝を設けて面材を嵌め込む工法では、剪断抵抗を飛躍的に強くするために接着剤を用いた剛性の高い合板が必要であり、その場合、接着剤を使用するためにシックハウス症候群で見られる健康上の問題点があった。
【０００８】
前記筋かいを用いた場合では、一方は土台と柱間と筋かいの三者を金具とボルトで止められているが、地震などで繰り返しによる横揺れなどによって筋かいに引張力と圧縮力とが交互に作用するが、特に、繰り返しの引張力が作用する場合は筋かいに穿設されたボルト穴が細長くなり、本来の筋かいの強度が極端に低下するといつた問題があつた。
【０００９】
本発明は、これらの問題点を鑑みてなされたものであり、対向する主柱間に配設された複数の間柱を挟持した状態で二重落し込み板を配し、二重落し込み板の長手端面側を主柱に当接させた状態で使用するとともに、相隣接する落し込み板間にダボを配設して接続しているため、耐力壁としての壁倍率が格段に高くなるため耐震性がよく、施工が容易で大幅な工期短縮が可能な二重落し込み板パネル構法による木造耐力壁とその固定方法を提供することにある。
【課題を解決するための手段】
【００１０】
このような課題を解決するために、本発明に係る第１の発明では、離間して対向立設された第１柱と第２柱を構成する主柱と、該主柱間に立設された複数の間柱と、該主柱間に該間柱を挟持するように該間柱の前後に相隣接するように横架配設された複数の二重落し込み板とで構成する。
【００１１】
第１の発明を主体とする第２の発明では、該主柱と該間柱の上部域に横架配設された土台と該主柱と該間柱の下部域に横架配設された梁にそれぞれ隣接する二重落し込み板とをダボで接続する。また、第１もしくは第２の発明を主体とする第３の発明では、少なくとも該土台に該間柱の長柄差し込み栓を差し込むための間柱用柄穴と、該第１柱と第２柱の長柄差し込み栓を差し込むための該第１柱と第２柱の柄穴を設け、該間柱と該第１柱と第２柱の長柄差し込み栓をそれぞれの柄穴に差し込んで固定するための込栓を設ける。
【００１２】
第１の発明を主体とする第４の発明では、両端部に長柄差し込み栓を有する複数本の間柱を配設するとともに、該間柱の上下端部に該間柱間を橋渡しする断熱材の受材を固定して構成した二重落し込み板パネルの骨組と、該二重落し込み板パネルの骨組の両側面に相隣接する落し込み板をダボを介して接合した壁体を構成する際に断熱材を該両落し込み板で囲繞し組み込んで構成した該二重落し込み板パネルと、該二重落し込み板パネルを組み込むための該第１柱と第２柱を構成する一対の主柱で構成する。
【００１３】
第１または第４の発明を主体とする第５の発明では、外壁板を該二重落し込み板パネルの骨組の表面部側を覆うように取り付ける際に胴縁を介して取り付けるか、または直接取り付けるかいずれか一つから選ばれるようにし、さらに、第２もしくは第４の発明を主体とする発明を主体とする第６の発明では、幅の広い該落し込み板を上下方向に相隣接させて相互に該ダボで接続する際に、該ダボの取付け位置が一定の軸線上に配列する。
【００１４】
第７の発明では、上下一対の横架材と、該両横架材間に配設された左右一対の垂直柱材とで構成される口型形状のリフォーム構造体であって、少なくとも該垂直柱材の内周面に配設された複数本の間柱と、該横架材の内周面に当接する位置に該間柱間を橋渡しする断熱材の受材を固定して構成された二重落し込み板パネルの骨組と、該二重落し込み板パネルの骨組に組み込んだ断熱材と、該二重落し込み板パネルの骨組の両側面に相隣接する落し込み板をダボを介して接合した壁体を構成する際に断熱材を該両落し込み板で囲繞し組み込んで構成する。
【００１５】
第１、４ならびに第７の発明を主体とする第８の発明では、外壁板を該二重落し込み板パネルの骨組の表面部側を覆うように取り付ける際に胴縁を介して取り付けるか、または直接取り付けるかいずれか一つから選ばれる。
【００１６】
第１、４ならびに第７の発明を主体とする第９の発明では、該外壁板としてラスボード下地モルタル塗り、サイディングボード、板杉よりなる群から選ばれる該外壁板のいずれかにより形成されている。第１、４ならびに第７の発明を主体とする第１０の発明では、内壁材を該二重落し込み板パネルの表面部側を覆うように胴縁を介して取り付けるか、または直接取り付けるかいずれか一つから選ばれる。
【００１７】
第１、４ならびに第７の発明を主体とする第１１の発明では、該内壁板として石膏ボード下地塗装仕上げか、石膏ボード下地クロス貼りよりなる群から選ばれる該内壁板のいずれかにより形成する。第１２の発明を主体とする該二重落し込み板パネルを吊り下げた状態で降下させながら、土台に刻設された間柱用柄穴に間柱の長柄差し込み栓を差し込んだ後、予め該土台に刻設された該第１柱と第２柱の柄穴上に柱受け板を載置しておき、該間柱の左右両端部側から該第１柱と第２柱の長手方向に刻設された凹部状の溝に沿わせながら降下させ、一旦該第１柱と第２柱を該柱受け板上に載置させた後、該第１柱と第２柱のいずれか一方の該柱の上方部のみを該間柱から離間する方向に傾転させた状態で梁を保持させ、ついで該傾転した柱を起立させて該第１柱と第２柱間に梁を張架する。
【００１８】
第１〜４、７、１２の発明を主体とする第１３の発明では、該第１柱と第２柱間に該二重落し込み板パネルを取り付ける際に、該間柱を該第１柱と第２柱に当接して取り付ける。
【発明の効果】
【００１９】
本発明では、
（１）１柱と第２柱にそれぞれ間柱を当接した状態の仕口として長柄差し込み栓を柄穴に打ち込んで込栓で固定しているため、柱脚部の引き抜き力に対して柱２本分の耐力で抵抗させるため、従来の落し込み板工法と比較して非常に高い壁倍率が得られる。
（２）二重落し込み板パネルを工場で大量生産しておき、木造建築現場に持ち込んで組み立てるため、工期の大幅な短縮が可能となる。
（３）相隣接する二重落し込み板同士はもちろんのこと、土台や梁などともダボで接続するため、剪断力に対する剛性が高まり、高い耐力壁を有する木造建築が得られる。
（４）主柱と落し込み板の側端面側とが当接した状態で保持されているため、大きい水平力が作用しても高い剛性が得られる。
【発明を実施するための最良の形態】
【００２０】
次に、本発明に係る二重落し込み板パネル構法による木造耐力壁とその固定方法の実施形態について説明する。
【００２１】
図１は本発明の第１の実施の形態に係る複数の間柱を型枠材上に配列固定した概要の斜視図、図２は本発明の実施の形態に係る表側の落し込み板パネルを繋ぎ合わせ中の斜視図、図３は断熱材を装着する場合の斜視図、図4は本発明の実施の形態に係る裏側の落し込み板パネルを繋ぎ合わせ中の斜視図、図5は二重落し込み板パネルの斜視図、図6は二重落し込み板パネルを土台に差し込む時の概要を示す斜視図、図７は二重落し込み板パネルの両側に両柱を組み合わせ中の斜視図、図８は両柱の上部に梁を渡して組み立てた斜視図、図９は込栓を込栓穴に打ち込む時の斜視図、図１０は二重落し込み板パネルに幅の狭い落し込み板を用いた場合の一部切断正面図、図１１は二重落し込み板パネルに幅の広い落し込み板を用いた場合の一部切断正面図、図１２は二重落し込み板パネルの室外側にのみ外壁材を張った場合の平面図、図１３は二重落し込み板パネルの両柱を両側から覆うように外壁材と内壁材を張った場合の平面図、図１４は両柱を外壁材で覆うように取り付けるとともに、室内側に位置する両柱は見えるように内壁材を取り付けた場合の平面図、図１５は二重落し込み板パネルを用いて建築する木造家屋の斜視図、図１６は各種試験体の正面図、図１７は本発明の第２の実施の形態に係るリフォーム前の主体となる外枠の斜視図、図１８は外枠内に間柱を取付けた場合の斜視図、図１９はリフォーム用の表側の落し込み板を繋ぎ合わせ中の斜視図、図２０は裏側の二重落し込み板パネルを繋ぎ合わせ中の斜視図、図２１は二重落し込み板パネルの取り付けを完了した斜視図である。
【実施例１】
【００２２】
図１から図１４までは新築する場合の二重落し込み板パネル構法による木造耐力壁とその固定方法の製作手順を示した図である。
【００２３】
実施例１の二重落し込み板パネルの取り付け構造は、木造建築物の外壁部分と内壁部分を併用する壁面として適用される。まず、図１は本発明の第１の実施の形態に係る複数の間柱を型枠材上に配列固定した概要の斜視図であり、符号１は正面が上方に向けて開口されたコ字状の型枠材を示す。該型枠材１の内法は二重落し込み板パネル３の外形寸法に略等しい寸法を有するように構成されている。該型枠材１は離間した対向位置に一対の矩形形状の立板２（２ａ、２ｂ）が配設してあり、各立板２（２ａ、２ｂ）の上下両端部には水平方向に向けて配設された矩形形状の水平受け板７（７ａ、７ｂ）が配設されている。
【００２４】
二重落し込み板パネルの骨組５は、間柱６（６ａ、６ｂ、６ｃ）と断熱材の受材４（４ａ、４ｂ）とで構成されている。３本の間柱６（６ａ、６ｂ、６ｃ）の上下端部には該断熱材の受材４（４ａ、４ｂ、４ｃ、４ｄ）が等間隔に橋渡されている。また間柱６の上下には、間柱６の外形寸法より小さくなるように刻設された凸状の長柄差し込み栓８（８ａ、８ｂ、８ｃ、８ｄ、８ｅ、８ｆ）が設けられている。３本の間柱６のうち２本の間柱６ａ、６ｃを平板２ａ、２ｂの内側側面に当接するように配置し、残りの間柱６ｂは間柱６ａ、６ｃ間を等分割する位置に配設してある。そして、長柄差し込み栓８（８ａ、８ｂ、８ｃ、８ｄ、８ｅ、８ｆ）が水平受け板７（７ａ、７ｂ）上に位置するように重畳載置した後、万力１０（１０ａ、１０ｂ、１０ｃ、１０ｄ、１０ｅ、１０ｆ）で長柄差し込み栓８と水平受け板７を上下から両者を締め付けるように固定してある。
【００２５】
図２は本発明の実施の形態に係る表側の落し込み板パネルを繋ぎ合わせ中の斜視図である。二重落し込み板パネル３は主としてパネルの骨組５、表側の落し込み板１２および裏側落し込み板１４とで構成される。表側の落し込み板１２をパネルの骨組５上に取付ける場合は、図２に示すように複数枚ある落し込み板１２のうち、第１落し込み板１２ａの下端面とパネルの骨組５の下端面Ｅとの端面合わせを行った後、間柱６（６ａ、６ｂ、６ｃ）に対してねじ付きビス１６で取り付ける。表側に位置する複数の落し込み板１２毎に離間して４ケ所刻設されたダボ穴（図示略）に寸法が長さ４５ｍｍ×幅１５ｍｍ×深さ６０ｍｍの矩形形状のダボ１８の長さ１２０ｍｍのうち、６０ｍｍが埋設されており、埋設されていない６０ｍｍのダボ１８の部分は第１落し込み板１２ａと隣接する側の第２落し込み板１２ｂに刻設されたダボ穴（図示略）に挿入されて落し込み板１２同士を接合するようになっている。
【００２６】
第１落し込み板１２ａと第２落し込み板１２ｂをダボ１８を介して当接し取付けた後に、表側の落し込み板１２は間柱６に複数（例えば、各落し込み板１２毎に上下に２本）のビス１６で取付られる。複数枚から構成される表側の落し込み板１２（ここでは、１２ａ〜１２ｎ）は、最後の落し込み板１２ｎの上端面とパネルの骨組５の上端面Ｆとが同一端面を有するように取り付けるのである。ここで、落し込み板１２の仕様によって異なるが、一般には、次のものが使用される。
【００２７】
１．  落し込み板１２の長さ                  １，７００ｍｍ
２．  落し込み板１２の幅（広幅の場合）          ２２５ｍｍ
落し込み板１２の幅（狭幅の場合）          １３５ｍｍ
３．  落し込み板１２の厚み                        ３０ｍｍ
４．  落し込み板１２の材質                            杉材
因みに、間柱６（ａ、ｂ、ｃ）の寸法のうち、
間柱６（ａ、ｃ）寸法は、              １５０×６０ｍｍ
間柱６（ｂ）の寸法は、                １２０×６０ｍｍ
【００２８】
図３は断熱材を装着する場合の斜視図であり、パネルの骨組５に表側の落し込み板１２をビス１６で張り付けた後、一旦６つの万力１０（１０ａ、１０ｂ、１０ｃ、１０ｄ、１０ｅ、１０ｆ）を全て取り外し、二重落し込み板パネル３を離間した対向位置に配設された立板２（２ａ、２ｂ）側に１８０度反転させ、表側落し込み板１２が下側に位置するように配設する。図１と同様に長柄差し込栓８の下側に落し込み板１２を取り付けた分だけ厚くなるため厚み調整をする必要があり、水平受け板７（７ａ、７ｂ）と長柄差し込み栓８との間に隙間ができるため、枕木２０（２０ａ、２０ｂ、２０ｃ、２０ｄ、２０ｅ、２０ｆ）を水平受け板７の上に重畳載置し、万力１０（１０ａ、１０ｂ、１０ｃ、１０ｄ、１０ｅ、１０ｆ）で長柄差し込栓８（８ａ、８ｂ、８ｃ、８ｄ、８ｅ、８ｆ）と水平受け板７（７ａ、７ｂ）とを上下から締め付けて固定する。ついで間柱６（６ａ、６ｂ、６ｃ）と断熱材の受材４（４ａ、４ｂ、４ｃ、４ｄ）と表側の落し込み板１２で囲繞されるパネルの骨組５の凹部２４に間板６と同一の高さを有する断熱材２２を組み込むのである。
【００２９】
図４は本発明の実施の形態に係る裏側の落し込み板パネルを繋ぎ合わせ中の斜視図であり、裏側の落し込み板１４をパネルの骨組５上に取付ける場合は、図４に示すように複数枚ある落し込み板１４（ここでは、１４ａ〜１４ｎ）のうち、第１落し込み板１４ａの下端面とパネルの骨組５の下端面Ｇとの端面合わせを行った後、間柱６（６ａ、６ｂ、６ｃ）に対してねじ付きビス１７で固定するのである。裏側に位置する複数の落し込み板１４毎に離間して４ケ所刻設されたダボ穴（図示略）に寸法が４５×１５ｍｍの矩形形状のダボ２６が６０ｍｍ埋設されており、埋設されていない残りのダボ２６の部分は第１落し込み板１４ａに位置する側の第２落し込み板１２ｂに刻設されたダボ穴に挿入されて落し込み板１２同士を接合するようになっている。
【００３０】
第１落し込み板１４ａと第２落し込み板１４ｂをダボ２６を介して当接し取付けた後、第２落し込み板１４ｂは間柱６に複数（各間柱６毎に２本）のビス１７で取付られる。複数枚から構成される裏側の落し込み板１４のうち、最後の落し込み板１４ｎの上端面とパネルの骨組５の端面Ｈとが同一端面を有するように取り付けるのである。ここで、ビス１７の大きさは裏側の落し込み板１４の仕様によって異なるが、一般には、表側の落し込み板１２の寸法のものと同様の仕様寸法のもの、すなわち、少なくとも二重落し込み板が使用される１４の厚み約３０ｍｍの倍程度の長さのビス１７が必要である。
【００３１】
図5は二重落し込み板パネルの斜視図であり、図6は二重落し込み板パネルを土台に差し込む時の概要を示す斜視図を示す。符号２７は土台、３０（ａ、ｂ、ｃ）は間柱用柄穴、３４ａは第１柱の柄穴、３４ｂは第２柱の柄穴、３６はダボ（表側の落し込み板用）、３８はダボ（裏側の落し込み板用）、４０は込栓穴をそれぞれ示す。図６においては、二重落し込み板パネル３が傷つかないように事前処置した後ワイヤーロープを介して、レッカー車（図示略）で吊り下げながら、長柄差し込み栓８ａが間柱用柄穴３０ａに、長柄差し込み栓８ｄが間柱用柄穴３０ｂに、長柄差し込み栓８ｆが間柱用柄穴３０ｃにそれぞれ差し込まれるように、二重落し込み板パネル３を土台２６の所定の位置上に保持させる。さらに、ダボ穴（図示略）は土台２７の縦軸を中心として左右の対称位置に刻設されている。この土台２７に刻設されたダボ穴に差し込まれたダボ３６と３８の上半分が突設しており、ダボ３６は表側の落し込み板１２のダボ穴（図示略）に、またダボ３８は裏側の落し込み板１４に刻設されたそれぞれのダボ穴（図示略）に嵌合させながら、二重落し込み板パネル３を矢印の方向にゆっくりと降下させて、二重落し込み板パネル３を土台２７上に載置し仕口とする。
【００３２】
図７は二重落し込み板パネルの両側に両柱を組み合わせ中の斜視図を示す。二重落し込み板パネル３を土台２７の所定の位置上に保持させた後、二重落し込み板パネル３の両側面側に位置する間柱６ａ、６ｃと当接する側に第１柱３２ａと第２柱３２ｂを同時に取り付けるようになっている。このとき間柱６ａ、６ｃと当接する側の第１柱３２ａと第２柱３２ｂ側には、間柱６ａ、６ｃの幅に相当する溝４２が刻設してある。なお、主柱である第１柱３２ａと第２柱３２ｂを溝４２に沿って降下させる前に第１柱３２ａの柄穴３４ａと第２柱３２ｂの柄穴３４ｂの上に、柱受け板４６（４６ａ、４６ｂ）を載置しておき、第１柱３２ａの長柄差し込み栓４４ａが第１柱３２ａの柄穴３４ａに、また第２柱３２ｂの長柄差し込み栓４４ｂが第１柱３２ａの柄穴３４ｂにそれぞれ嵌入しないようにしておくのである。ここで、符号４８は込栓穴を示す。
【００３３】
図８は両柱の上部に梁を渡して組み立てた斜視図であり、第１柱３２ａと第１柱３２ｂを溝４２に沿って最下部まで降下させた後、第１柱３２ａの長柄差し込み栓４４ａが柱受け板４６ａの上に載置したまま第１柱３２ａの上方部のみを間柱６ａから離間する方向に傾転させた状態で、梁５０の両側にある長柄差し込み栓（図示略）を第１柱３２ａと第２柱３２ｂの柄穴５４（図７に５４ａ、５４ｂで示す）にそれぞれ嵌入させた後、第１柱３２ａの溝４２が間柱６ａに当接するまで第１柱３２ａの外側から木槌などで主柱である第１柱３２ａと第２柱３２ｂが平行になるまで打ち付けて第１柱３２ａを間柱６ａに固定させるのである。
【００３４】
図９は込栓を込栓穴に打ち込む時の斜視であり、第１柱３２ａと第２柱３２ｂ間に梁５０を張架させた後、柱受け板４６（４６ａ、４６ｂ）を抜き取るとともに、第１柱の長柄差し込み栓４４ａを第１柱の柄穴３４ａに、また第２柱の長柄差し込み栓４４ｂを第１柱の柄穴３４ｂにそれぞれ嵌入させて二重落し込み板パネル３の組み込みを完了する。図９は込栓を込栓穴に打ち込む時の斜視図であり、間柱用柄穴３０に長柄差し込み栓８を嵌入して二重落し込み板パネル３を土台２７と梁５０間に組み込んだ後に、込栓穴４８に込栓５２を打ち込んで組み立てを完了する。
【００３５】
図１０は二重落し込み板パネルに幅の狭い落し込み板を用いた場合の一部切断正面図であり、幅の狭い同一寸法の落し込み板１２を使用して相隣接する落し込み板１２を接続するのにダボ２６を使用することになる。図１０に示すようにダボ２６の取り付け位置は、千鳥型となるように配列すると相隣接する幅の狭い落し込み板１２に埋め込まれたダボ２６同士が干渉することがなく、落し込み板１２同士をダボ２６で強力に接続することができる。
【００３６】
図１１は二重落し込み板パネルに幅の広い落し込み板を用いた場合の一部切断正面図であり、幅の広い落し込み板１２を使用して相隣接する落し込み板１２を接続する際に、４５×１５ｍｍの寸法のダボ２６を用いても、お互いに干渉することなく、一定の軸線上に配列した状態でダボ２６を使用することができる。このため、ダボ２６の取付位置を図１１に示すように、同一軸線上に一列に配列した状態で幅の広い落し込み板１２同士をダボ２６で強力に接続することができる。
【００３７】
次に、二重落し込み板パネル３を木造建築物の壁体構造の一部として使用する場合、二重落し込み板パネル３の室内側と外壁側に新たな追加の仕上げを行う場合の例を、図１２〜図１４を用いて説明を行う。
【００３８】
図１２は二重落し込み板パネルの室外側にのみ外壁材を張った場合の平面図であり、室内側は二重落し込み板３ｂのままであり、改めて室内側に内壁材を使用しない場合の例である。従って、ここでは室外側に外壁材を使用する場合は、表側の二重落し込み板パネル３ａの表面部の縦方向に離間して胴縁６０を打ち付け、胴縁６０の上に後述する外壁板５８を取付るのである。因みに、内室側は裏側の二重落し込み板パネル３ｂの表面が剥き出た状態で仕上材として使用するものであり、表面に光沢のある状態を呈している。
【００３９】
図１３は二重落し込み板パネルの両柱を両側から覆うように外壁材と内壁材を張った場合の平面図であり、室内側に位置する裏側の二重落し込み板パネル３ｂを下地材として使用するようにし、二重落し込み板パネル３ｂの表面部上に胴縁６０を取付ないで直接、内壁板５６を取り付けた（直付け）ものである。一方、室外側に位置する表側の二重落し込み板パネル３ａの表面部上には離間した縦方向位置に胴縁６０を取付けた後、外壁材５８を胴縁６０の上から取り付けたものであり、内壁材５６と外壁材５８の両板で第１柱３２ａと第２柱３２ｂの表面を隠せるように取り付けてある。
【００４０】
図１４は両柱を外壁材で覆うように取り付けるとともに、室内側に位置する両柱は見えるように内壁材を取り付けた場合の平面図であり、室外側に位置する表側の二重落し込み板パネル３ａの表面部の離間した縦方向位置に胴縁６０を打ち付け、胴縁６０の上に外壁板５８を取付るのである。また、室内側は化粧板５６を下地材として使用する裏側の二重落し込み板パネル３ｂの上面に直接取り付けたものであり、第１柱３２ａと第２柱３２ｂの表面を露出するように第１柱３２ａと第２柱３２ｂ間に取り付けてある。
【００４１】
図１２〜図１４に示した外壁材および内壁材として一般的に使用されるものとしては、次のようなものがある。
「外壁材」
（１）左官仕上げによるラスボード下地モルタル塗り
（２）塗装仕上げによるサイディングボード
（３）キシラデコール塗りによる杉板
「内壁材」
（１）石膏ボード下地塗り仕上げ
（２）石膏ボード下地クロス貼り
【００４２】
図１５は二重落し込み板パネルを用いて建築する木造家屋を示す。なお、符号１００は、二重落し込み板パネル構法を採用した木造家屋である。図１６は各種試験体の正面図であり、試験体を用いた試験結果を表１に示す。
【００４３】
【表１】
2006028805.tif 000003
【００４４】
表１は試験体を用いた試験結果を示し、表１の試験体を図１６に示す。図１６では、表１に示すような種類の試験体を作り二重落し込み板３による板壁の耐力性能の実験を行った。
試験体ＮＯ．１は、１／１５ｒａｄに達しても荷重は一定の上昇を見せるが、初期剛性は他の試験体と比べて極めて小さく全般に剛性は非常に低い。
試験体ＮＯ．２とＮＯ．３は、ダボを使用しており、初期剛性はダボの本数が多いＮＯ．３がＮＯ．２よりも比較的高い値を示している。いずれも１／３０ｒａｄ前後で同程度の最大荷重に達し、１／１５ｒａｄに達するまでに最大荷重８０％を下回った。さらに、ダボと間柱と落し込み板３を使用したＮＯ．４が剛性もあり、高い壁倍率が得られた。
【００４５】
表１に示すように、本発明の二重落し込み板パネル３を使用した木造家屋では、次のような実験結果が得られた。すなわち、
（１）本実験結果では、二重落し込み板同士および軸組とをダボで繋いだことにより、試験体の壁倍率は１．９４となり、規定値（０．６）の３倍以上の効果が得られた。なお、壁倍率とは、地震力や風圧力のような水平力を耐力壁がどのくらい負担できるかを示すもので、ある特定の剪断変形時に単位長さあたり一定の剪断力に耐えられる耐力壁を倍率１と定める。
（２）本実験結果では、柱のそばに間柱を当接した形で配設するとともにダボによる効果が非常に大きく、壁倍率は２．２１と上記実験結果（１）より壁倍率が高くなった。
（３）入手が容易な杉板の有効利用が図れるとともに、工場で予め二重落し込み板パネル３化による作業が可能となり、木造建築費用のコストが低くできるとともに、大幅な工期の短縮ができた。
（４）最終変形角１／１５ｒａｄに達しても最大荷重の８０％を下回ることはなく、非常に粘り強い工法であることが実証できた。
【実施例２】
【００４６】
図１７から図２０まではリフォームする場合の二重落し込み板を固定する時の製作手順を示した図である。
【００４７】
図１７は本発明の第２の実施の形態に係るリフォーム前の主体となる外枠の斜視図であり、新築の木造建築物の場合には予め工場で二重落し込み板パネル３を製造して建築現場で組み立てることができるが、リフォームする場合の二重落し込み板パネル３では、組み立てそのものが建築現場となる。すでに建築現場には、図１７に示すような構造体がある。この口型形状を呈するリフォーム構造体８０は、梁７０、柱７２、土台７４とで構成され、さらに柱７２は第１柱７２ａと第２柱７２ｂとで構成される。符合７６は込栓を示す。
【００４８】
図１８は外枠内に間柱を取付けた場合の斜視図である。リフォーム構造体８０の内周面には、平坦な表面を有する３本の間柱７８（７８ａ、７８ｂ、７８ｃ）のうち、２本の間柱７８ａ、７８ｃを平坦な表面を有する第１柱７２ａと第２柱７２ｂの内周面側に固着させるとともに、２本の間柱７８ａ、７８ｃの等分割された中間点位置に間柱７８ｂが固着してある。口型形状を呈するリフォーム構造体８０を縦方向に等分布する３本の間柱７８（７８ａ、７８ｂ、７８ｃ）の梁７０の内周面側と土台７４の内周面側にはそれぞれ断熱材の受材８２（８２ａ、８２ｂ、８２ｃ、８２ｄ）が固着されている。
【００４９】
図１９はリフォーム用の表側の落し込み板を繋ぎ合わせ中の斜視図であり、間柱７８（７８ａ、７８ｂ、７８ｃ）と第１柱７２ａと第２柱７２ｂの幅寸法の大小では、実施例１と同様に柱７２＞間柱７８となっているため、恣意的に段差を生じさせている。この段差寸法は、表側の落し込み板８４の厚みの約３０ｍｍとなっているためであり、リフォーム構造体８０に表側の落し込み板８４を取り付けた場合、第１柱７２ａと第２柱７２ｂの表面側と表側の落し込み板８４の表面とが面一となるように取付けるためである。
【００５０】
土台７４と第１の落し込み板８４ａ間とは図示を省略した複数個のダボ８６で接続されている。第１の落し込み板８４ａと第２の落し込み板８４ｂ〜最後の落し込み板８４ｎを逐次ダボ８６を介して接続した後、各落し込み板８４は間柱７８に複数（各落し込み板８４毎に上下２本）のビス８８で取付られる。但し、リフォームの場合は、最後の落し込み板８４ｎとその一枚前の落し込み板８４とはダボ（図示略）を介さないで、最後の落し込み板８４ｎを直接ビス８８のみで間柱７８（７８ａ、７８ｂ、７８ｃ）に取り付けるのである。
【００５１】
図２０は裏側の二重落し込み板パネルを繋ぎ合わせ中の斜視図であり、表側の二重落し込み板８４を取り付けた後に裏側の二重落し込み板９０を取り付ける前に断熱材９２を装着する。前述した表側の落し込み板８４を取付る場合の工法と同様に裏側の二重落し込み板９０も取付るのである。土台７４と第１の落し込み板９０ａ間とは図示を省略した複数個のダボ８７で接続されている。第１の落し込み板９０ａと第２の落し込み板９０ｂ〜最後の落し込み板９０ｎを逐次ダボ８７を介して接続した後、各落し込み板９０は間柱７８に複数（各落し込み板９０毎に上下２本）のビス８８で取付られる。但し、リフォームの場合は、最後の落し込み板９０ｎとその一枚前の落し込み板９０とはダボ（図示略）を介さないで、最後の落し込み板９０ｎを直接ビス８８のみで間柱７８（７８ａ、７８ｂ、７８ｃ）に取り付けるのである。
【００５２】
図２１は二重落し込み板パネルの取り付けを完了した斜視図であり、リフオームする場合の二重落し込み板パネル９４を用いた二重落し込み板パネル９４４の取り付け構造である。図２０に示す工事が完了すると、新築木造建築と同様に図１２〜図１４に示した外壁材および内壁材のものが使用できる。
【図面の簡単な説明】
【００５３】
【図１】本発明の第１の実施の形態に係る複数の間柱を型枠材上に配列固定した概要の斜視図である。
【図２】図２は本発明の実施の形態に係る表側の落し込み板パネルを繋ぎ合わせ中の斜視図である。
【図３】断熱材を装着する場合の斜視図である。
【図４】本発明の実施の形態に係る裏側の落し込み板パネルを繋ぎ合わせ中の斜視図。
【図５】二重落し込み板パネルの斜視図である。
【図６】二重落し込み板パネルを土台に差し込む時の概要を示す斜視図である。
【図７】二重落し込み板パネルの両側に両柱を組み合わせ中の斜視図である。
【図８】両柱の上部に梁を渡して組み立てた斜視図である。
【図９】込栓を込栓穴に打ち込む時の斜視図である。
【図１０】二重落し込み板パネルに幅の狭い落し込み板を用いた場合の一部切断正面図である。
【図１１】二重落し込み板パネルに幅の広い落し込み板を用いた場合の一部切断正面図である。
【図１２】二重落し込み板パネルの室外側にのみ外壁材を張った場合の平面図である。
【図１３】二重落し込み板パネルの両柱を両側から覆うように外壁材と内壁材を張った場合の平面図である。
【図１４】両柱を外壁材で覆うように取り付けるとともに、室内側に位置する両柱は見えるように内壁材を取り付けた場合の平面図である。
【図１５】二重落し込み板パネルを用いて建築する木造家屋である。
【図１６】各種試験体の正面図である。
【図１７】本発明の第２の実施の形態に係るリフォーム前の主体となる外枠の斜視図である。
【図１８】外枠内に間柱を取付けた場合の斜視図である。
【図１９】リフォーム用の表側の落し込み板を繋ぎ合わせ中の斜視図である。
【図２０】裏側の二重落し込み板パネルを繋ぎ合わせ中の斜視図である。
【図２１】二重落し込み板パネルの取り付けを完了した斜視図である。
【符号の説明】
【００５４】
１      型枠材
２（ａ、ｂ）      立板
３      二重落し込み板パネル
３ａ    表側の二重落し込み板パネル
３ｂ    裏側の二重落し込み板パネル
４（ａ、ｂ、ｃ、ｄ）    断熱材の受材
５      二重落し込み板パネルの骨組
６（ａ、ｂ、ｃ）      間柱
７（ａ、ｂ）      水平受け板
８（ａ、ｂ、ｃ、ｄ、ｅ、ｆ）      長柄差し込み栓
１０（ａ、ｂ、ｃ、ｄ、ｅ、ｆ）    万力
１２      表側の落し込み板
１２ａ    第１の落し込み板
１２ｂ    第１の落し込み板
１２ｎ    最後の落し込み板
１４      裏側の落し込み板
１４ａ    第１の落し込み板
１４ｂ    第２の落し込み板
１４ｎ    最後の落し込み板
１６、１７      ビス
１８、２６      ダボ
２０（ａ、ｂ、ｃ、ｄ、ｅ、ｆ）    枕木
２２      断熱材
２４      凹部
２７      土台
３０（ａ、ｂ、ｃ）    間柱用柄穴
３２      柱
３２ａ    第１柱
３２ｂ    第２柱
３４ａ    第１柱の柄穴
３４ｂ    第２柱の柄穴
３６      ダボ（表側の落し込み板）
３８      ダボ（裏側の落し込み板）
４０      込柱穴
４２      溝
４４ａ    第１柱の長柄差し込み栓
４４ｂ    第２柱の長柄差し込み栓
４６（ａ、ｂ）      柱受け板
４８      込栓穴
５０      梁
５２      込栓
５４（ａ、ｂ）    柄穴（梁用）
５６      内壁板
５８      外壁板
６０      胴縁
７０      梁
７２      柱
７２ａ    第１柱
７２ｂ    第２柱
７４      土台
７６      込栓
７８（ａ、ｂ、ｃ）    間柱
８０      リフォーム構造体
８２（ａ、ｂ、ｃ）    断熱材の受板
８４      表側の落し込み板
８４ａ    第１の落し込み板
８４ｂ    第２柱の落し込み板
８４ｎ    最後の落し込み板
８６、８７    ダボ
８８      ビス
９０      裏側の落し込み板
９０ａ    第１の落し込み板
９０ｂ    第２柱の落し込み板
９０ｎ    最後の落し込み板
９２      断熱材
９４      二重落し込み板パネル
１００    二重落し込み板パネル構法を採用した木造家屋
【図１】
2006028805.tif 000004
【図２】
2006028805.tif 000005
【図３】
2006028805.tif 000006
【図４】
2006028805.tif 000007
【図５】
2006028805.tif 000008
【図６】
2006028805.tif 000009
【図７】
2006028805.tif 000010
【図８】
2006028805.tif 000011
【図９】
2006028805.tif 000012
【図１０】
2006028805.tif 000013
【図１１】
2006028805.tif 000014
【図１２】
2006028805.tif 000015
【図１３】
2006028805.tif 000016
【図１４】
2006028805.tif 000017
【図１５】
2006028805.tif 000018
【図１６】
2006028805.tif 000019
【図１７】
2006028805.tif 000020
【図１８】
2006028805.tif 000021
【図１９】
2006028805.tif 000022
【図２０】
2006028805.tif 000023
【図２１】
2006028805.tif 000024